(57)【要約】  品物受付部（１０１）によって利用者が所望する品物の選択を受け付けた場合、品物情報取得部（１０２）によって品物に関する情報を取得する。ここで、品物に関する情報は、たとえば、品物を販売している店舗の情報、この店舗における在庫状況の情報、および品物の入荷日の情報などである。つぎに、在庫状況の情報に基づいて、判断部（１０６）によって品物の在庫がないと判断された場合、入荷日の情報に基づいて、入荷日検出部（１０７）によって品物の次の入荷日を検出する。さらに、日付取得部（１０３）によって現在の日付の情報を取得して、現在の日付が、品物の次の入荷日以降の場合、提示部（１１３）によって品物を入荷した店舗に関する情報を提示する。
2009078102.tif 000002
【特許請求の範囲】
【請求項１】
利用者が所望する品物の選択を受け付ける品物受付手段と、
前記品物を販売している店舗の情報、当該店舗における在庫状況の情報、および当該品物の入荷日の情報を取得する品物情報取得手段と、
前記在庫状況の情報に基づいて、前記品物の在庫があるか否かを判断する判断手段と、
前記品物の在庫がないと判断された場合、前記入荷日の情報に基づいて、当該品物の次の入荷日を検出する入荷日検出手段と、
現在の日付の情報を取得する日付取得手段と、
現在の日付が前記品物の次の入荷日以降であるときに、当該品物を入荷した店舗に関する情報を提示する提示手段と、
を備えることを特徴とする情報提示装置。
【請求項２】
前記提示手段は、前記品物を入荷した店舗の周辺の地図情報を提示することを特徴とする請求項１に記載の情報提示装置。
【請求項３】
前記利用者の現在地点の位置情報を取得する現在位置取得手段と、
前記利用者の現在地点の位置情報および前記品物を入荷した店舗に関する情報に基づいて、当該店舗までの経路を探索する探索手段と、
を備え、
前記提示手段は、前記地図情報に関連付けて、前記品物を入荷した店舗までの経路を提示することを特徴とする請求項２に記載の情報提示装置。
【請求項４】
前記提示手段によって前記品物を入荷した店舗の周辺の地図情報が提示されたときに、前記利用者からの前記品物を入荷した店舗までの経路を表示する指示を受け付ける経路受付手段を備え、
前記探索手段は、前記経路受付手段によって前記経路を表示する指示を受け付けたときに、前記品物を入荷した店舗までの経路を探索することを特徴とする請求項３に記載の情報提示装置。
【請求項５】
前記探索手段は、あらかじめ前記利用者によって、前記品物を入荷した店舗があるときに当該店舗までの経路を提示する設定がおこなわれている場合に、前記品物を入荷した店舗までの経路を探索することを特徴とする請求項３に記載の情報提示装置。
【請求項６】
前記品物情報取得手段は、前記品物を販売している複数の店舗の各店舗の情報、当該各店舗における在庫状況の情報、および当該各店舗における当該品物の入荷日の情報を取得し、
前記判断手段は、前記在庫状況の情報に基づいて、前記品物の在庫のある店舗があるか否かを判断し、
前記入荷日検出手段は、前記品物の在庫がある店舗がないと判断された場合、前記入荷日の情報に基づいて、当該各店舗における前記品物の次の入荷日を検出し、
前記日付取得手段は、現在の日付の情報を取得し、
前記提示手段は、前記品物の次の入荷日が現在の日付以前である店舗があるときに、当該品物を入荷した店舗に関する情報を提示することを特徴とする請求項１に記載の情報提示装置。
【請求項７】
前記入荷日検出手段は、前記各店舗における前記品物の次の入荷日の日付順を検出する日付順検出手段を備え、
前記提示手段は、前記品物の次の入荷日が最も早い店舗に関する情報を提示することを特徴とする請求項６に記載の情報提示装置。
【請求項８】
前記入荷日検出手段は、前記各店舗における前記品物の次の入荷日の日付順を検出する日付順検出手段を備え、
前記提示手段は、前記各店舗に関する情報を前記品物の次の入荷日の日付順に提示することを特徴とする請求項６に記載の情報提示装置。
【請求項９】
前記提示手段によって前記品物の次の入荷日の日付順に提示された各店舗に関する情報のうち、前記利用者によって選択された店舗に関する情報を受け付ける店舗受付手段を備え、
前記提示手段は、現在の日付が前記店舗受付手段によって受け付けられた店舗の前記品物の次の入荷日以降であるときに、当該店舗に関する情報を提示することを特徴とする請求項８に記載の情報提示装置。
【請求項１０】
前記入荷日検出手段は、前記品物の次の入荷日が現在の日付以前である店舗の、あらかじめ設定された特定地点から位置が近い順を検出する位置順検出手段を備え、
前記提示手段は、前記特定地点から最も位置の近い店舗に関する情報を提示することを特徴とする請求項６に記載の情報提示装置。
【請求項１１】
前記入荷日検出手段は、前記品物の次の入荷日が現在の日付以前である店舗の、あらかじめ設定された特定地点から位置が近い順を検出する位置順検出手段を備え、
前記提示手段は、前記各店舗に関する情報を前記特定地点から近い順に提示することを特徴とする請求項６に記載の情報提示装置。
【請求項１２】
前記提示手段によって前記特定地点から位置が近い順に提示された各店舗に関する情報のうち、前記利用者によって選択された店舗に関する情報を受け付ける店舗受付手段を備え、
前記提示手段は、現在の日付が前記店舗受付手段によって受け付けられた店舗の前記品物の次の入荷日以降であるときに、当該店舗に関する情報を提示することを特徴とする請求項１１に記載の情報提示装置。
【請求項１３】
現在の時刻の情報を検出する時刻検出手段と、
前記利用者の現在地点の位置情報を取得する現在位置取得手段と、
前記利用者の現在地点の位置情報および前記品物を入荷した各店舗に関する情報に基づいて、当該各店舗までの経路を探索する探索手段と、
現在の時刻の情報および前記各店舗までの経路の情報に基づいて、当該店舗までの到着予想時間を算出する算出手段と、
前記各店舗の営業時間を検出する営業時間検出手段と、
を備え、
前記提示手段は、前記到着予想時間が前記営業時間内の店舗までの経路を提示することを特徴とする請求項１に記載の情報提示装置。
【請求項１４】
利用者が所望する品物の選択を受け付ける品物受付工程と、
前記品物を販売している店舗の情報、当該店舗における在庫状況の情報、および当該品物の入荷日の情報を取得する品物情報取得工程と、
前記在庫状況の情報に基づいて、前記品物の在庫があるか否かを判断する判断工程と、
前記品物の在庫がないと判断された場合、前記入荷日の情報に基づいて、当該品物の次の入荷日を検出する入荷日検出工程と、
現在の日付の情報を取得する日付取得工程と、
現在の日付が前記品物の次の入荷日以降であるときに、当該品物を入荷した店舗に関する情報を提示する提示工程と、
を含むことを特徴とする情報提示方法。
【請求項１５】
請求項１４に記載の情報提示方法をコンピュータに実行させることを特徴とする情報提示プログラム。
【請求項１６】
請求項１５に記載の情報提示プログラムを記録したことを特徴とするコンピュータに読み取り可能な記録媒体。
【発明の詳細な説明】
【技術分野】
【０００１】
この発明は、品物を入荷した店舗に関する情報を提示する情報提示装置、情報提示方法、情報提示プログラムおよび記録媒体に関する。
【背景技術】
【０００２】
従来、商品の宣伝映像を出力するための映像データをデジタルデータとして無線方式で商品情報センターから、複数の端末へ送信する商品購入援助システムが提案されている（たとえば、下記特許文献１参照。）。この商品購入援助システムによれば、利用者が所望する商品の選択を受け付けたときに、この商品の在庫のある店舗の案内をおこなうことができる。【０００３】
【特許文献１】特開２００２−８３１５３号公報
【発明の開示】
【発明が解決しようとする課題】
【０００４】
しかしながら、上述の特許文献１の技術では、たとえば、発売日より以前の日である場合や、どの店舗にも商品の在庫がない場合に、利用者が商品を購入するための支援ができないという問題が挙げられる。また、利用者の所望する商品の次の入荷日の情報を記録していないため、たとえば、過去に在庫のある店舗がなかった場合、その日以降に新たに商品を入荷した店舗があったとしても、改めて商品情報センターに接続しない場合、または、ネットワークがつながらなかった場合、商品を入荷した店舗があるか否かがわからず、利用者が所望の商品を購入することができないという問題が挙げられる。
【課題を解決するための手段】
【０００５】
上述した課題を解決し、目的を達成するため、請求項１の発明にかかる情報提示装置は、利用者が所望する品物の選択を受け付ける品物受付手段と、前記品物を販売している店舗の情報、当該店舗における在庫状況の情報、および当該品物の入荷日の情報を取得する品物情報取得手段と、前記在庫状況の情報に基づいて、前記品物の在庫があるか否かを判断する判断手段と、前記品物の在庫がないと判断された場合、前記入荷日の情報に基づいて、当該品物の次の入荷日を検出する入荷日検出手段と、現在の日付の情報を取得する日付取得手段と、現在の日付が前記品物の次の入荷日以降であるときに、当該品物を入荷した店舗に関する情報を提示する提示手段と、を備えることを特徴とする。【０００６】
また、請求項１４の発明にかかる情報提示方法は、利用者が所望する品物の選択を受け付ける品物受付工程と、前記品物を販売している店舗の情報、当該店舗における在庫状況の情報、および当該品物の入荷日の情報を取得する品物情報取得工程と、前記在庫状況の情報に基づいて、前記品物の在庫があるか否かを判断する判断工程と、前記品物の在庫がないと判断された場合、前記入荷日の情報に基づいて、当該品物の次の入荷日を検出する入荷日検出工程と、現在の日付の情報を取得する日付取得工程と、現在の日付が前記品物の次の入荷日以降であるときに、当該品物を入荷した店舗に関する情報を提示する提示工程と、を含むことを特徴とする。【０００７】
また、請求項１５の発明にかかる情報提示プログラムは、請求項１４に記載の情報提示方法をコンピュータに実行させることを特徴とする。【０００８】
また、請求項１６の発明にかかる記録媒体は、請求項１５に記載の情報提示プログラムをコンピュータに読み取り可能な状態で記録したことを特徴とする。
【図面の簡単な説明】
【０００９】
【図１】図１は、本実施の形態にかかる情報提示装置の機能的構成を示すブロック図である。
【図２】図２は、情報提示装置の情報提示処理手順を示すフローチャートである。
【図３】図３は、本実施例にかかる情報提示システムの概要について示す説明図である。
【図４】図４は、本実施例にかかるナビゲーション装置のハードウェア構成を示すブロック図である。
【図５】図５は、ナビゲーション装置の処理の内容を示すフローチャートである。
【図６】図６は、経路表示の一例について示す説明図である。
【符号の説明】
【００１０】
１００  情報提示装置
１０１  品物受付部
１０２  品物情報取得部
１０３  日付取得部
１０４  現在位置取得部
１０５  時刻検出部
１０６  判断部
１０７  入荷日検出部
１０８  日付順検出部
１０９  位置順検出部
１１０  探索部
１１１  算出部
１１２  営業時間検出部
１１３  提示部
１１４  経路受付部
１１５  店舗受付部
【発明を実施するための最良の形態】
【００１１】
以下に添付図面を参照して、この発明にかかる情報提示装置、情報提示方法、情報提示プログラム、および記録媒体の好適な実施の形態を詳細に説明する。【００１２】
（実施の形態）
（情報提示装置の機能的構成）
まず、この発明の実施の形態にかかる情報提示装置１００の機能的構成について説明する。図１は、本実施の形態にかかる情報提示装置の機能的構成を示すブロック図である。【００１３】
図１において、情報提示装置１００は、品物受付部１０１と、品物情報取得部１０２と、日付取得部１０３と、現在位置取得部１０４と、時刻検出部１０５と、判断部１０６と、入荷日検出部１０７と、日付順検出部１０８と、位置順検出部１０９と、探索部１１０と、算出部１１１と、営業時間検出部１１２と、提示部１１３と、経路受付部１１４と、店舗受付部１１５と、を備えている。【００１４】
品物受付部１０１は、利用者が所望する品物の選択を受け付ける。具体的には、たとえば、利用者からの品物名の入力を受け付ける。また、たとえば、インターネットを介して接続された、事業者の運営するサーバに情報の保管された複数の品物の中から、利用者が所望する品物の選択を受け付けてもよい。ここで、品物は、店舗によって販売されている商品でなくてもよく、たとえば、店舗によって提供されている試供品やサービス品など、金銭のやり取りのないものでもよい。【００１５】
品物情報取得部１０２は、品物受付部１０１によって受け付けられた品物に関する情報を取得する。品物に関する情報は、たとえば、品物を販売している店舗の情報、この店舗における在庫状況の情報、および品物の入荷日の情報である。また、品物情報取得部１０２は、品物を販売している複数の店舗の各店舗の情報、各店舗における在庫状況の情報、および各店舗における品物の入荷日の情報を取得してもよい。具体的には、たとえば、インターネットを介して接続された、品物に関する情報が保管されたデータベースなどから、品物を販売している店舗の情報、この店舗における在庫状況の情報、および品物の入荷日の情報を取得する。【００１６】
日付取得部１０３は、現在の日付の情報を取得する。日付取得部１０３は、たとえば、情報提示装置１００が起動する度に、現在の日付の情報を取得する。具体的には、情報提示装置１００の搭載された移動体のエンジンが始動されたときに、現在の日付の情報を取得してもよい。【００１７】
現在位置取得部１０４は、利用者の現在地点の位置情報を取得する。具体的には、利用者の現在地点の位置情報は、たとえば、利用者の搭乗する車両に備えられたＧＰＳユニットや加速度センサなどによって取得される。【００１８】
時刻検出部１０５は、現在の時刻の情報を検出する。具体的には、たとえば、利用者の搭乗する車両に備えられたタイマなどにより現在の時刻の情報を検出する。【００１９】
判断部１０６は、在庫状況の情報に基づいて、品物の在庫があるか否かを判断する。また、判断部１０６は、品物を販売している店舗が複数の場合、各店舗における在庫状況の情報に基づいて、品物の在庫のある店舗があるか否かを判断してもよい。また、判断部１０６は、品物の在庫の個数を判断してもよい。【００２０】
入荷日検出部１０７は、判断部１０６によって品物の在庫がないと判断された場合、品物の入荷日の情報に基づいて、この品物の次の入荷日を検出する。また、入荷日検出部１０７は、品物を販売している店舗が複数の場合に、品物の在庫がある店舗がないと判断された場合、入荷日の情報に基づいて、各店舗における品物の次の入荷日を検出する。【００２１】
日付順検出部１０８は、入荷日検出部１０７に備えられている。日付順検出部１０８は、各店舗における品物の次の入荷日の日付順を検出する。具体的には、たとえば、各店舗における品物の次の入荷日の早い順を検出する。【００２２】
位置順検出部１０９は、入荷日検出部１０７に備えられている。位置順検出部１０９は、品物の次の入荷日が現在の日付以前である店舗の、あらかじめ設定された特定地点から位置が近い順を検出する。あらかじめ設定された特定地点は、たとえば、利用者の現在地点や利用者の自宅や利用者によって選択された任意の地点である。【００２３】
探索部１１０は、利用者の現在地点の位置情報および品物を入荷した店舗に関する情報に基づいて、店舗までの経路を探索する。品物を入荷した店舗に関する情報は、たとえば、品物を入荷した店舗の緯度と経度の情報である。また、探索部１１０は、後述する経路受付部１１４によって、利用者から経路を表示する指示を受け付けたときに、品物を入荷した店舗までの経路を探索してもよい。また、探索部１１０は、あらかじめ利用者によって、品物を入荷した店舗があるときにその店舗までの経路を提示する設定がおこなわれている場合に、品物を入荷した店舗までの経路を探索してもよい。この場合、たとえば、利用者の搭乗する移動体のエンジンが始動したときに、品物を入荷した店舗までの経路の探索を開始してもよい。さらに、探索部１１０は、品物を入荷した店舗が複数の場合、利用者の現在地点の位置情報および品物を入荷した各店舗に関する情報に基づいて、各店舗までの経路を探索する。【００２４】
算出部１１１は、現在の時刻の情報および各店舗までの経路の情報に基づいて、店舗までの到着予想時間を算出する。具体的には、たとえば、探索部１１０によって、品物を入荷した店舗までの経路が探索された際に、現在の時刻の情報に基づいて、利用者の現在地点から店舗までの到着予想時間を算出する。このとき、たとえば、渋滞情報などの道路情報を考慮した到着予想時間を算出してもよい。【００２５】
営業時間検出部１１２は、各店舗の営業時間を検出する。具体的には、たとえば、品物情報取得部１０２によって取得された複数の店舗の品物に関する情報から各店舗の営業時間を検出する。営業時間は、たとえば、各曜日ごとの開店時間と閉店時間の情報である。【００２６】
提示部１１３は、地図データを表示する表示画面を備えている。ここで、地図データは、図示しない記憶部に記憶されている。地図データは、ノードおよびリンクからなる道路ネットワークデータと、施設や道路その他地形（山、川、土地）に関するフィーチャを用いて描画される画像データとを含んでいる。地図データは、文字情報、施設の名称や住所などの情報、道路や施設の画像などを含んでいてもよい。また、提示部１１３は、音声情報を出力するスピーカなどを備えていてもよい。【００２７】
提示部１１３は、現在の日付が品物の次の入荷日以降であるときに、品物を入荷した店舗に関する情報を提示する。店舗に関する情報は、たとえば、品物を入荷した店舗の周辺の地図情報や品物を入荷した店舗までの経路である。品物を入荷した店舗までの経路は、地図情報に重畳して表示される。また、提示部１１３は、音声情報によって品物を入荷した店舗に関する情報を提示してもよい。【００２８】
提示部１１３は、品物を販売している店舗が複数の場合、品物の次の入荷日が現在の日付以前である店舗があるときに、品物を入荷した店舗に関する情報を提示する。提示部１１３は、具体的には、たとえば、品物の次の入荷日が最も早い店舗に関する情報を提示する。また、提示部１１３は、各店舗に関する情報を品物の次の入荷日の日付順に提示してもよい。この場合、たとえば、品物を入荷した店舗を入荷した日付の早い順に並べた一覧を提示する。さらに、提示部１１３は、現在の日付が、後述する店舗受付部１１５によって受け付けられた店舗の品物の次の入荷日以降であるときに、店舗に関する情報を提示してもよい。【００２９】
提示部１１３は、特定地点から最も位置の近い店舗に関する情報を提示してもよい。また、各店舗に関する情報を特定地点から近い順に提示してもよい。さらに、提示部１１３は、算出部１１１によって算出された到着予想時間が営業時間内の店舗のみ、この店舗までの経路を提示してもよい。【００３０】
経路受付部１１４は、提示部１１３によって品物を入荷した店舗の周辺の地図情報が提示されたときに、利用者からの品物を入荷した店舗までの経路を表示する指示を受け付ける。具体的には、たとえば、「ここに行きますか？」などの品物を入荷した店舗までの経路を表示する指示を促すメッセージとともに、「はい」および「いいえ」などの利用者からの指示を受け付けるアイコンを表示し、「はい」のアイコンが選択された場合、品物を入荷した店舗までの経路を表示する指示を受け付けたと判断する。【００３１】
店舗受付部１１５は、提示部１１３によって品物の次の入荷日の日付順に提示された各店舗に関する情報のうち、利用者によって選択された店舗に関する情報を受け付ける。また、店舗受付部１１５は、提示部１１３によって特定地点から位置が近い順に提示された各店舗に関する情報のうち、利用者によって選択された店舗に関する情報を受け付ける。具体的には、たとえば、品物の次の入荷日の日付順または特定地点から位置が近い順に、品物を入荷した店舗の情報が並べられた一覧から、利用者が所望する店舗の選択を受け付ける。【００３２】
（情報提示装置の情報提示処理手順）
つぎに、情報提示装置１００の情報提示処理手順について説明する。図２は、情報提示装置の情報提示処理手順を示すフローチャートである。図２のフローチャートにおいて、まず、品物受付部１０１によって利用者が所望する品物の選択を受け付けるまで待機する（ステップＳ２０１：Ｎｏのループ）。ステップＳ２０１において利用者が所望する品物の選択を受け付けた場合（ステップＳ２０１：Ｙｅｓ）、品物情報取得部１０２によって品物に関する情報を取得する（ステップＳ２０２）。ここで、品物に関する情報は、たとえば、品物を販売している店舗の情報、この店舗における在庫状況の情報、および品物の入荷日の情報などである。【００３３】
つぎに、ステップＳ２０２において取得された在庫状況の情報に基づいて、判断部１０６によって品物の在庫があるか否かを判断する（ステップＳ２０３）。ステップＳ２０３において品物の在庫があると判断された場合（ステップＳ２０３：Ｙｅｓ）、そのまま一連の処理を終了する。また、この場合、提示部１１３によって品物の在庫がある店舗の周辺の地図情報を提示したり、品物の在庫がある店舗までの経路を提示したりしてもよい。一方、ステップＳ２０３において品物の在庫がないと判断された場合（ステップＳ２０３：Ｎｏ）、ステップＳ２０２において取得された入荷日の情報に基づいて、入荷日検出部１０７によって品物の次の入荷日を検出する（ステップＳ２０４）。【００３４】
つぎに、日付取得部１０３によって現在の日付の情報を取得して（ステップＳ２０５）、ステップＳ２０５において取得された現在の日付が、ステップＳ２０４において取得された品物の次の入荷日以降か否かを判断する（ステップＳ２０６）。ここで、ステップＳ２０５の処理は、たとえば、ステップＳ２０１〜ステップＳ２０４の処理をおこなった日より後日に処理をおこなうこととする。【００３５】
ステップＳ２０６において現在の日付が品物の次の入荷日以降ではないと判断された場合（ステップＳ２０６：Ｎｏ）、ステップＳ２０５に戻り以降の処理を繰り返しおこなう。一方、ステップＳ２０６において現在の日付が品物の次の入荷日以降であると判断された場合（ステップＳ２０６：Ｙｅｓ）、提示部１１３によって品物を入荷した店舗に関する情報を提示して（ステップＳ２０７）、一連の処理を終了する。【００３６】
なお、図２のフローチャートにおいては、ステップＳ２０７においては、たとえば、品物を入荷した店舗の店舗名、電話番号、住所や、店舗の周辺の地図情報を提示する。また、現在位置取得部１０４によって利用者の現在地点の位置情報を取得し、探索部１１０によって、利用者の現在地点の位置情報および品物を入荷した店舗の位置情報に基づいて、店舗までの経路を探索する。そして、この探索された経路を提示部１１３によって提示してもよい。具体的には、店舗の周辺の地図情報が提示されたときに、経路受付部１１４によって、利用者からの品物を入荷した店舗までの経路を表示する指示を受け付けた場合、探索部１１０によって品物を入荷した店舗までの経路の探索を開始してもよい。また、探索部１１０は、あらかじめ利用者によって、品物を入荷した店舗があるときに、その店舗までの経路を提示する設定がされている場合、品物を入荷した店舗があると判断されてから、すぐに、この店舗までの経路を探索してもよい。【００３７】
また、図２のフローチャートにおいては、ステップＳ２０７において、たとえば、時刻検出部１０５によって現在の時刻の情報を検出し、算出部１１１によって現在の時刻の情報および各店舗までの経路の情報に基づいて、店舗までの到着予想時間を算出する。さらに、営業時間検出部１１２によって各店舗の営業時間を取得して、到着予想時間が営業時間内の店舗までの経路を、提示部１１３によって提示する構成でもよい。【００３８】
また、図２のフローチャートにおいては、ステップＳ２０７において、提示部１１３によって、日付順検出部１０８によって検出された各店舗における品物の次の入荷日の日付順に、各店舗に関する情報を提示してもよい。また、提示部１１３によって、位置順検出部１０９によって検出されたあらかじめ設定された特定地点から位置が近い順に、各店舗に関する情報を提示してもよい。さらに、これらの場合、店舗受付部１１５によって利用者によって選択された店舗に関する情報を受け付けて、提示部１１３によって、選択された店舗に関する情報のみに変更して提示する構成でもよい。【００３９】
また、図２のフローチャートにおいては、ステップＳ２０３：Ｙｅｓにおいて品物の在庫がある場合、そのまま一連の処理を終了するとしているが、これに限るものではない。たとえば、ステップＳ２０３：Ｙｅｓにおいて品物の在庫がある場合、この店舗に関する情報を提示してもよい。この場合、たとえば、店舗までの到着予想時間を算出し、店舗の営業時間を検出して、到着予想時間が営業時間内の場合に、店舗までの経路を探索し、経路を提示してもよい。【００４０】
上述したように、本実施の形態にかかる情報提示装置１００によれば、品物情報取得部１０２によって取得された在庫状況の情報に基づいて、品物受付部１０１によって受け付けた利用者が所望する品物の在庫があるか否かを判断部１０６によって判断する。そして、品物の在庫がないと判断された場合、入荷日の情報に基づいて、入荷日検出部１０７によって品物の次の入荷日を検出し、日付取得部１０３によって取得された現在の日付が品物の次の入荷日以降であるときに、提示部１１３によって品物を入荷した店舗に関する情報を提示することができる。したがって、在庫がないと判断された日以降に、自装置を起動した日が、品物の次の入荷日以降の場合、品物を入荷した店舗の情報を提示することができる。これによって、利用者は、一度、所望する品物を入力すれば、その日に店舗に在庫がなくても、その日以降に自装置を起動するのみで、品物を入荷した店舗がある場合、この店舗に関する情報を確認することができる。【００４１】
また、本実施の形態にかかる情報提示装置１００によれば、提示部１１３によって品物を入荷した店舗の周辺の地図情報を提示することができる。これによって、利用者は、簡単に、品物を入荷した店舗を確認することができる。【００４２】
また、本実施の形態にかかる情報提示装置１００によれば、利用者の現在地点の位置情報および品物を入荷した店舗に関する情報に基づいて、探索部１１０によって店舗までの経路を探索し、地図情報に関連付けて、品物を入荷した店舗までの経路を提示部１１３によって提示することができる。これによって、利用者は、迷わずに品物を入荷した店舗に到着することができる。【００４３】
また、本実施の形態にかかる情報提示装置１００によれば、提示部１１３によって品物を入荷した店舗の周辺の地図情報が提示されたときに、利用者から、品物を入荷した店舗までの経路を表示する指示を経路受付部１１４によって受け付けた場合に、品物を入荷した店舗までの経路を探索部１１０によって探索することができる。これによって、利用者は、品物を購入する予定ではない場合、品物を入荷した店舗があったとしても、案内させないことができる。【００４４】
また、本実施の形態にかかる情報提示装置１００によれば、あらかじめ利用者によって、品物を入荷した店舗があるときに店舗までの経路を提示する設定がおこなわれている場合に、探索部１１０によって品物を入荷した店舗までの経路を探索することができる。これによって、利用者は、品物を入荷した店舗がある場合、優先的にこの店舗までの経路を提示させることができる。【００４５】
また、本実施の形態にかかる情報提示装置１００によれば、複数の店舗に関して、各店舗における品物の次の入荷日の日付順を日付順検出部１０８によって検出し、品物の次の入荷日が最も早い店舗に関する情報を提示部１１３に提示することができる。これによって、利用者は、その日に在庫のある店舗がない場合でも、最も早く品物を購入できる日付と店舗を確認することができる。【００４６】
また、本実施の形態にかかる情報提示装置１００によれば、各店舗に関する情報を品物の次の入荷日の日付順に提示部１１３によって提示することができる。これによって、利用者は、どの店舗がいつ品物を入荷するかを確認することができるため、品物を購入する計画が立てやすくなる。【００４７】
また、本実施の形態にかかる情報提示装置１００によれば、品物の次の入荷日が現在の日付以前である店舗の、あらかじめ設定された特定地点から位置が近い順を位置順検出部１０９によって検出し、特定地点から最も位置の近い店舗に関する情報を提示部１１３によって提示することができる。これによって、利用者は、品物の入荷されている店舗のうちの、現在地点や自宅から最も近い位置にある店舗を確認することができる。【００４８】
また、本実施の形態にかかる情報提示装置１００によれば、品物の入荷された各店舗に関する情報を特定地点から近い順に提示部１１３によって提示することができる。これによって、利用者は、品物の入荷された各店舗の位置がわかるため、他の目的地点に向かう途中や自宅に帰る途中に、品物を入荷した店舗に立ち寄ることができる。【００４９】
また、本実施の形態にかかる情報提示装置１００によれば、利用者の現在地点の位置情報および品物を入荷した各店舗に関する情報に基づいて、各店舗までの経路を探索部１１０によって探索し、現在の時刻の情報および各店舗までの経路の情報に基づいて、店舗までの到着予想時間を算出部１１１によって算出する。そして、営業時間検出部１１２によって各店舗の営業時間を検出し、到着予想時間が営業時間内の店舗までの経路を提示部１１３によって提示することができる。これによって、利用者は、品物が入荷された店舗のうちの、営業時間内に到着できる店舗までの経路を提示させることができる。したがって、利用者は、確実に品物を購入することができる。
【実施例】
【００５０】
以下に、本発明の実施例について説明する。本実施例では、たとえば、車両（四輪車、二輪車を含む）などの移動体に搭載されるナビゲーション装置によって、本発明の情報提示装置を実施した場合の一例について説明する。【００５１】
（情報提示システムの概要）
まず、本実施例にかかる情報提示システムの概要について説明する。図３は、本実施例にかかる情報提示システムの概要について示す説明図である。情報提示システム３００は、ナビゲーション装置３０１および品物情報データベース３０２によって構成される。品物情報データベース３０２には、少なくとも１件以上の店舗の店舗名、電話番号、住所、緯度経度、在庫がある品物もしくは入荷予定の品物の品名、それぞれの品物の在庫状況、それぞれの品物の次の入荷日などが保管されている。ここで、入荷日は入荷する予定の時間を含んだ入荷日時でもよい。品物情報データベース３０２は、情報提示システム３００を管理する事業者もしくは各店舗によって随時更新されていてもよい。【００５２】
たとえば、ナビゲーション装置３０１は、自装置の搭載された車両に搭乗している利用者から品物の選択を受け付けた場合、ネットワーク３０３を介して品物情報データベース３０２から、その品物を販売している店舗の情報、店舗における在庫状況の情報および品物の入荷日の情報を取得する。そして、品物の在庫がある店舗がない場合、各店舗のこの品物の次の入荷日の情報を記録しておく。このとき、品物の次の入荷日の情報を、ナビゲーション装置３０１に備えられた磁気ディスクや光ディスクに記録してもよいし、ナビゲーション装置３０１に接続された、外部メモリ３０４や携帯電話のメモリに記録してもよい。【００５３】
そして、次にナビゲーション装置３０１の電源がＯＮになったとき、または、次にナビゲーション装置３０１の搭載された車両のエンジンが始動したときに、外部メモリ３０４などに記録された品物の次の入荷日の情報に基づいて、次の入荷日が現在の日付より以前の店舗がある場合、この店舗までの経路を探索し、探索された経路にしたがって利用者を誘導する。【００５４】
（ナビゲーション装置のハードウェア構成）
つぎに、本実施例にかかるナビゲーション装置３０１のハードウェア構成について説明する。図４は、本実施例にかかるナビゲーション装置のハードウェア構成を示すブロック図である。図４において、ナビゲーション装置３０１は、ＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、音声Ｉ／Ｆ（インターフェース）４０８と、マイク４０９と、スピーカ４１０と、入力デバイス４１１と、映像Ｉ／Ｆ４１２と、ディスプレイ４１３と、通信Ｉ／Ｆ４１４と、ＧＰＳユニット４１５と、各種センサ４１６と、カメラ４１７と、を備えている。各構成部４０１〜４１７は、バス４２０によってそれぞれ接続されている。【００５５】
まず、ＣＰＵ４０１は、ナビゲーション装置３０１の全体の制御を司る。ＲＯＭ４０２は、ブートプログラム、データ更新プログラム、経路探索プログラム、到着予想時間算出プログラムなどのプログラムを記録している。また、ＲＡＭ４０３は、ＣＰＵ４０１のワークエリアとして使用される。すなわち、ＣＰＵ４０１は、ＲＡＭ４０３をワークエリアとして使用しながら、ＲＯＭ４０２に記録された各種プログラムを実行することによって、ナビゲーション装置３０１の全体の制御を司る。【００５６】
経路探索プログラムは、品物情報データベース３０２から取得された品物に関する情報、および後述するＧＰＳユニット４１５などの情報から算出される車両の現在位置を示す情報に基づいて、車両の現在位置から品物を入荷した店舗までの経路を探索させる。経路探索プログラムは、たとえば、車両のエンジンが始動されたときに、現在日時を取得し、利用者の所望する品物の次の入荷日時が現在日時より以前の店舗がある場合、この店舗までの経路の探索を開始させてもよい。また、このとき、たとえば、利用者に「この店舗まで行きますか？」などのメッセージとともに、「はい」および「いいえ」などの利用者からの指示を受け付けるアイコンを表示し、「はい」のアイコンが選択された場合、店舗までの経路の探索を開始させてもよい。【００５７】
到着予想時間算出プログラムは、たとえば、現在の時刻の情報および経路探索プログラムによって探索された経路の情報に基づいて、利用者の現在地点から品物を入荷した店舗に到着する予想時間を算出させる。【００５８】
磁気ディスクドライブ４０４は、ＣＰＵ４０１の制御にしたがって磁気ディスク４０５に対するデータの読み取り／書き込みを制御する。磁気ディスク４０５は、磁気ディスクドライブ４０４の制御で書き込まれたデータを記録する。磁気ディスク４０５としては、たとえば、ＨＤ（ハードディスク）やＦＤ（フレキシブルディスク）を用いることができる。【００５９】
また、光ディスクドライブ４０６は、ＣＰＵ４０１の制御にしたがって光ディスク４０７に対するデータの読み取り／書き込みを制御する。光ディスク４０７は、光ディスクドライブ４０６の制御にしたがってデータが読み出される着脱自在な記録媒体である。光ディスク４０７は、書き込み可能な記録媒体を利用することもできる。着脱可能な記録媒体として、光ディスク４０７のほか、ＭＯ、メモリカードなどであってもよい。【００６０】
磁気ディスク４０５および光ディスク４０７に記録される情報の一例としては、地図データや機能データが挙げられる。地図データは、建物、河川、地表面などの地物（フィーチャ）をあらわす背景データと、道路の形状をあらわす道路形状データとを含んでおり、地区ごとに分けられた複数のデータファイルによって構成されている。【００６１】
道路形状データは、さらに交通条件データを有する。交通条件データには、たとえば、各ノードについて、信号や横断歩道などの有無、高速道路の出入り口やジャンクションの有無、各リンクについての長さ（距離）、道幅、進行方向、道路種別（高速道路、有料道路、一般道路など）などの情報が含まれている。【００６２】
機能データは、地図上の施設の形状をあらわす３次元データ、当該施設の説明をあらわす文字データ、その他地図データ以外の各種のデータである。地図データや機能データは、地区ごとあるいは機能ごとにブロック分けされた状態で記録されている。具体的には、たとえば、地図データは、各々が、表示画面に表示された地図において所定の地区をあらわすように、地区ごとにブロック分けすることができる状態で記録されている。また、たとえば、機能データは、各々が、１つの機能を実現するように、機能ごとに複数にブロック分けすることができる状態で記録されている。【００６３】
また、機能データは、上述した３次元データや文字データに加えて、経路探索、所要時間の算出、経路誘導などを実現するプログラムデータなどの機能を実現するためのデータである。地図データおよび機能データは、それぞれ、地区ごとあるいは機能ごとに分けられた複数のデータファイルによって構成されている。【００６４】
また、磁気ディスク４０５および光ディスク４０７に記録される情報の他の一例としては、利用者の所望する品物の入荷日時の情報がある。具体的には、ネットワークを介して品物情報データベース３０２から取得された、利用者の所望する品物の次の入荷日時の情報が記録される。また、品物の次の入荷日時の情報には、各店舗に関する情報が関連付けられていてもよい。【００６５】
音声Ｉ／Ｆ４０８は、音声入力用のマイク４０９および音声出力用のスピーカ４１０に接続される。マイク４０９に受音された音声は、音声Ｉ／Ｆ４０８内でＡ／Ｄ変換される。マイク４０９は、たとえば、車両のサンバイザー付近に設置され、その数は単数でも複数でもよい。スピーカ４１０からは、所定の音声信号を音声Ｉ／Ｆ４０８内でＤ／Ａ変換した音声が出力される。なお、マイク４０９から入力された音声は、音声データとして磁気ディスク４０５あるいは光ディスク４０７に記録可能である。【００６６】
入力デバイス４１１は、文字、数値、各種指示などの入力のための複数のキーを備えたリモコン、キーボード、タッチパネルなどが挙げられる。入力デバイス４１１は、リモコン、キーボード、タッチパネルのうちいずれか１つの形態によって実現されてもよいが、複数の形態によって実現することも可能である。【００６７】
映像Ｉ／Ｆ４１２は、ディスプレイ４１３に接続される。映像Ｉ／Ｆ４１２は、具体的には、たとえば、ディスプレイ４１３全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ４１３を制御する制御ＩＣなどによって構成される。【００６８】
ディスプレイ４１３には、アイコン、カーソル、メニュー、ウインドウ、あるいは文字や画像などの各種データが表示される。ディスプレイ４１３には、上述した地図データが、２次元または３次元に描画される。ディスプレイ４１３に表示された地図データには、ナビゲーション装置３０１を搭載した車両の現在位置をあらわすマークなどを重ねて表示することができる。車両の現在位置は、ＣＰＵ４０１によって算出される。【００６９】
ディスプレイ４１３としては、たとえば、ＣＲＴ、ＴＦＴ液晶ディスプレイ、プラズマディスプレイなどを用いることができる。ディスプレイ４１３は、たとえば、車両のダッシュボード付近に設置される。ディスプレイ４１３は、車両のダッシュボード付近のほか、車両の後部座席周辺などに設置するなどして、車両において複数設置されていてもよい。【００７０】
通信Ｉ／Ｆ４１４は、無線を介してネットワークに接続され、ナビゲーション装置３０１とＣＰＵ４０１とのインターフェースとして機能する。通信Ｉ／Ｆ４１４は、さらに、無線を介してインターネットなどの通信網に接続され、この通信網とＣＰＵ４０１とのインターフェースとしても機能する。【００７１】
通信網には、ＬＡＮ、ＷＡＮ、公衆回線網や携帯電話網などがある。具体的には、通信Ｉ／Ｆ４１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路交通情報を取得する。なお、ＶＩＣＳは登録商標である。【００７２】
ＧＰＳユニット４１５は、ＧＰＳ衛星からの電波を受信し、車両の現在位置を示す情報を出力する。ＧＰＳユニット４１５の出力情報は、後述する各種センサ４１６の出力値とともに、ＣＰＵ４０１による車両の現在位置の算出に際して利用される。現在位置を示す情報は、たとえば緯度・経度、高度などの、地図データ上の１点を特定する情報である。【００７３】
各種センサ４１６は、車速センサ、加速度センサ、角速度センサなどの、車両の位置や挙動を判断するための情報を出力する。各種センサ４１６の出力値は、ＣＰＵ４０１による車両の現在位置の算出や、速度や方位の変化量の算出に用いられる。【００７４】
カメラ４１７は、車両内部あるいは外部の映像を撮影する。映像は静止画あるいは動画のどちらでもよく、たとえば、カメラ４１７によって車両内部の搭乗者の挙動を撮影し、撮影した映像を映像Ｉ／Ｆ４１２を介して磁気ディスク４０５や光ディスク４０７などの記録媒体に出力する。また、カメラ４１７によって車両外部の状況を撮影し、撮影した映像を映像Ｉ／Ｆ４１２を介して磁気ディスク４０５や光ディスク４０７などの記録媒体に出力する。また、記録媒体に出力された映像は、上書き記録や保存がおこなわれる。【００７５】
図１に示した情報提示装置１００が備える品物受付部１０１、品物情報取得部１０２、日付取得部１０３、現在位置取得部１０４、時刻検出部１０５、判断部１０６、入荷日検出部１０７、日付順検出部１０８、位置順検出部１０９、探索部１１０、算出部１１１、営業時間検出部１１２、提示部１１３、経路受付部１１４、店舗受付部１１５は、図４に示したナビゲーション装置３０１におけるＲＯＭ４０２、ＲＡＭ４０３、磁気ディスク４０５、光ディスク４０７などに記録されたプログラムやデータを用いて、ＣＰＵ４０１が所定のプログラムを実行し、ナビゲーション装置３０１における各部を制御することによってその機能を実現する。【００７６】
すなわち、実施例のナビゲーション装置３０１は、ナビゲーション装置３０１における記録媒体としてのＲＯＭ４０２に記録されている情報提示プログラムを実行することにより、図１に示した情報提示装置が備える機能を、図２に示した情報提示処理手順で実行することができる。【００７７】
（ナビゲーション装置の処理の内容）
つぎに、ナビゲーション装置の処理の内容について説明する。図５は、ナビゲーション装置の処理の内容を示すフローチャートである。図５のフローチャートにおいて、まず、入力デバイス４１１が操作されることにより、利用者が所望する品物の選択を受け付けるまで待機する（ステップＳ５０１：Ｎｏのループ）。ステップＳ５０１において利用者が所望する品物の選択を受け付けた場合（ステップＳ５０１：Ｙｅｓ）、品物情報データベース３０２から品物に関する情報を取得する（ステップＳ５０２）。【００７８】
つぎに、ステップＳ５０２において取得された品物に関する情報に含まれる各店舗の在庫状況の情報から、品物の在庫のある店舗があるか否かを判断する（ステップＳ５０３）。ステップＳ５０２において品物の在庫のある店舗がないと判断された場合（ステップＳ５０３：Ｎｏ）、ステップＳ５０２において取得された品物に関する情報に含まれる品物の次の入荷日時を検出する（ステップＳ５０４）。そして、ディスプレイ４１３などに入荷日時の早い順の店舗リストを表示する（ステップＳ５０５）。ステップＳ５０５において入荷日時の早い順の店舗リストは、たとえば、利用者の所望する品物を入荷する予定の店舗を、入荷日時の早い順に並べた一覧である。そして、磁気ディスク４０５などに次の入荷日時の情報を記録する（ステップＳ５０６）。【００７９】
つぎに、再びナビゲーション装置３０１の電源がＯＮになるまで待機して（ステップＳ５０７：Ｎｏのループ）、電源がＯＮになった場合（ステップＳ５０７：Ｙｅｓ）、現在日時を取得する（ステップＳ５０８）。ステップＳ５０８において取得された現在日時に基づいて、利用者の所望する品物の入荷日時を過ぎた店舗があるか否かを判断する（ステップＳ５０９）。ステップＳ５０９において入荷日時を過ぎた店舗がある場合（ステップＳ５０９：Ｙｅｓ）、経路探索プログラムを実行することにより入荷日時の過ぎた店舗までの経路を探索する（ステップＳ５１０）。【００８０】
つぎに、到着予想時間算出プログラムを実行することにより、利用者の現在位置から、ステップＳ５１０において経路を探索された店舗に到着する到着予想時間を算出する（ステップＳ５１１）。そして、品物に関する情報に含まれる各店舗の営業時間の情報および到着予想時間に基づいて、ステップＳ５１０において経路の探索された店舗に、利用者が営業時間内に到着するか否かを判断する（ステップＳ５１２）。ステップＳ５１２において営業時間内に到着すると判断された場合（ステップＳ５１２：Ｙｅｓ）、ディスプレイ４１３に、ステップＳ５１０において探索された経路を表示して（ステップＳ５１３）、一連の処理を終了する。【００８１】
一方、ステップＳ５０３において品物の在庫のある店舗があると判断された場合（ステップＳ５０３：Ｙｅｓ）、ステップＳ５１０に進み、ステップＳ５０３において品物があると判断された店舗までの経路を探索するようにして、以降の処理をおこなう。また、ステップＳ５０９において、入荷日時を過ぎた店舗がない場合（ステップＳ５０９：Ｎｏ）、ステップＳ５０７に戻り、以降の処理を繰り返しおこなう。さらに、ステップＳ５１２において営業時間内に到着しないと判断された場合（ステップＳ５１２：Ｎｏ）、ステップＳ５０９に戻り、他の店舗で入荷日時の過ぎた店舗があるか否かを判断し、以降の処理を繰り返しおこなう。【００８２】
（経路表示の一例）
つぎに、図５のステップＳ５１３において経路を表示する一例について説明する。図６は、経路表示の一例について示す説明図である。図６に示すように、ディスプレイ４１３には、車両の現在位置６０１と、現在日時６０２と、店舗Ａ６０３と、店舗Ｂ６０４と、店舗Ｃ６０５と、店舗Ｄ６０６と、経路６０７と、が表示されている。ここで、利用者の所望する品物の入荷日は、店舗Ａ６０３が１２月１日、店舗Ｂ６０４が１１月３０日、店舗Ｃ６０５と店舗Ｄ６０６が１１月２７日である。現在日時６０２が、１１月２８日の２０時１０分の場合、図５のステップＳ５０９において、入荷日時を過ぎた店舗は、店舗Ｃ６０５と店舗Ｄ６０６とであると判断される。【００８３】
また、営業時間は、店舗Ｃ６０５が２１時までであり、店舗Ｄ６０６が２０時までである。図５のステップＳ５１１において、たとえば、現在位置６０１から店舗Ｃ６０５および店舗Ｄ６０６に到着する到着予想時間が２０時２０分と算出された場合、ステップＳ５１２において店舗Ｃ６０５が到着予想時間までに到着すると判断される。したがって、ステップＳ５１３において、ディスプレイ４１３には、現在位置６０１から店舗Ｃ６０５までの経路が表示されることとなる。【００８４】
なお、図６においては、たとえば、営業時間内に到着することのできる店舗が複数ある場合、現在位置６０１から最も近い店舗、または、現在位置６０１から最も誘導しやすい店舗（たとえば、大きい看板が経路の途中にある店舗など）までの経路を表示するようにしてもよい。【００８５】
上述したように、本実施例にかかるナビゲーション装置３０１によれば、品物情報取得部１０２によって取得された在庫状況の情報に基づいて、品物受付部１０１によって受け付けた利用者が所望する品物の在庫があるか否かを判断部１０６によって判断する。そして、品物の在庫がないと判断された場合、入荷日の情報に基づいて、入荷日検出部１０７によって品物の次の入荷日を検出し、日付取得部１０３によって取得された現在の日付が品物の次の入荷日以降であるときに、提示部１１３によって品物を入荷した店舗に関する情報を提示することができる。したがって、在庫がないと判断された日以降に、自装置を起動した日が、品物の次の入荷日以降の場合、品物を入荷した店舗の情報を提示することができる。これによって、利用者は、一度、所望する品物を入力すれば、その日に店舗に在庫がなくても、その日以降に自装置を起動するのみで、品物を入荷した店舗がある場合、この店舗に関する情報を確認することができる。【００８６】
また、本実施例にかかるナビゲーション装置３０１によれば、提示部１１３によって品物を入荷した店舗の周辺の地図情報を提示することができる。これによって、利用者は、簡単に、品物を入荷した店舗を確認することができる。【００８７】
また、本実施例にかかるナビゲーション装置３０１によれば、利用者の現在地点の位置情報および品物を入荷した店舗に関する情報に基づいて、探索部１１０によって店舗までの経路を探索し、地図情報に関連付けて、品物を入荷した店舗までの経路を提示部１１３によって提示することができる。これによって、利用者は、迷わずに品物を入荷した店舗に到着することができる。【００８８】
また、本実施例にかかるナビゲーション装置３０１によれば、提示部１１３によって品物を入荷した店舗の周辺の地図情報が提示されたときに、利用者から、品物を入荷した店舗までの経路を表示する指示を経路受付部１１４によって受け付けた場合に、品物を入荷した店舗までの経路を探索部１１０によって探索することができる。これによって、利用者は、品物を購入する予定ではない場合、品物を入荷した店舗があったとしても、案内させないことができる。【００８９】
また、本実施例にかかるナビゲーション装置３０１によれば、あらかじめ利用者によって、品物を入荷した店舗があるときに店舗までの経路を提示する設定がおこなわれている場合に、探索部１１０によって品物を入荷した店舗までの経路を探索することができる。これによって、利用者は、品物を入荷した店舗がある場合、優先的にこの店舗までの経路を提示させることができる。【００９０】
また、本実施例にかかるナビゲーション装置３０１によれば、複数の店舗に関して、各店舗における品物の次の入荷日の日付順を日付順検出部１０８によって検出し、品物の次の入荷日が最も早い店舗に関する情報を提示部１１３に提示することができる。これによって、利用者は、その日に在庫のある店舗がない場合でも、最も早く品物を購入できる日付と店舗を確認することができる。【００９１】
また、本実施例にかかるナビゲーション装置３０１によれば、各店舗に関する情報を品物の次の入荷日の日付順に提示部１１３によって提示することができる。これによって、利用者は、どの店舗がいつ品物を入荷するかを確認することができるため、品物を購入する計画が立てやすくなる。【００９２】
また、本実施例にかかるナビゲーション装置３０１によれば、品物の次の入荷日が現在の日付以前である店舗の、あらかじめ設定された特定地点から位置が近い順を位置順検出部１０９によって検出し、特定地点から最も位置の近い店舗に関する情報を提示部１１３によって提示することができる。これによって、利用者は、品物の入荷されている店舗のうちの、現在地点や自宅から最も近い位置にある店舗を確認することができる。【００９３】
また、本実施例にかかるナビゲーション装置３０１によれば、品物の入荷された各店舗に関する情報を特定地点から近い順に提示部１１３によって提示することができる。これによって、利用者は、品物の入荷された各店舗の位置がわかるため、他の目的地点に向かう途中や自宅に帰る途中に、品物を入荷した店舗に立ち寄ることができる。【００９４】
また、本実施例にかかるナビゲーション装置３０１によれば、利用者の現在地点の位置情報および品物を入荷した各店舗に関する情報に基づいて、各店舗までの経路を探索部１１０によって探索し、現在の時刻の情報および各店舗までの経路の情報に基づいて、店舗までの到着予想時間を算出部１１１によって算出する。そして、営業時間検出部１１２によって各店舗の営業時間を検出し、到着予想時間が営業時間内の店舗までの経路を提示部１１３によって提示することができる。これによって、利用者は、品物が入荷された店舗のうちの、営業時間内に到着できる店舗までの経路を提示させることができる。したがって、利用者は、確実に品物を購入することができる。【００９５】
なお、本実施の形態で説明した情報提示方法は、あらかじめ用意されたプログラムをパーソナル・コンピュータ、ワークステーション、携帯端末装置（携帯電話）などのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図１】
2009078102.tif 000003
【図２】
2009078102.tif 000004
【図３】
2009078102.tif 000005
【図４】
2009078102.tif 000006
【図５】
2009078102.tif 000007
【図６】
2009078102.tif 000008
【国際調査報告】
2009078102.tif 000009
2009078102.tif 000010
2009078102.tif 000011